(57)【要約】【課題】法面の安定化及びその緑化を図る。【解決手段】法面Ｆに載置自在な載置底板部を備えると共に植物栽培基盤材Ｃを充填可能な上方に開口を有する凹部を形成してある法面保護用受圧板Ａを、地中Ｂに係止したアンカー部材８を用いて法面に、多数定着させるとともに、前記各法面保護用受圧板Ａの前記凹部に前記植物栽培基盤材Ｃを充填し、前記各法面保護用受圧板Ａの周りの法面Ｆ上を、前記植物栽培基盤材Ｃで覆ってある。【選択図】　　　　図２
2004003257.tif 000002
【特許請求の範囲】
【請求項１】
法面に載置自在な載置底板部を備えると共に植物栽培基盤材を充填可能な上方に開口を有する凹部を形成してある法面保護用受圧板を、地中に係止したアンカー部材を用いて法面に、多数定着させるとともに、
前記各法面保護用受圧板の前記凹部に前記植物栽培基盤材を充填し、前記各法面保護用受圧板の周りの法面上を、前記植物栽培基盤材で覆ってある法面植生構造。
【請求項２】
前記載置底板部に複数の補強リブが立設され、それら複数の補強リブ及び載置底板部にて前記凹部が形成されている請求項１記載の法面植生構造。
【請求項３】
前記法面保護用受圧板の外周および上端の少なくとも一方が露出されている請求項１又は２記載の法面植生構造。
【請求項４】
前記凹部では、前記植物栽培基盤材の下に、植物の根が進入成長可能に成形された培床部材が収容されている請求項１〜３の何れか１項に記載の法面植生構造。
【請求項５】
前記培床部材が、土嚢、通気性軽量コンクリート、保水材の少なくとも一種である請求項４記載の法面植生構造。
【請求項６】
請求項４又は５記載の法面植生構造を施工する法面施工方法であって、
前記法面保護用受圧板を、前記アンカー部材を用いて法面に定着する定着工程を行った後、
前記凹部に前記培床部材を収容する収容工程を行って、
前記各法面保護用受圧板の前記凹部に前記植物栽培基盤材を充填し、前記各法面保護用受圧板の周りの法面上を前記植物栽培基盤材で覆う法面施工方法。
【請求項７】
請求項４又は５記載の法面植生構造を施工する法面施工方法であって、
前記凹部に前記培床部材を収容する収容工程を行った後、
前記法面保護用受圧板を、前記アンカー部材を用いて法面に定着する定着工程を行って、
前記各法面保護用受圧板の前記凹部に前記植物栽培基盤材を充填し、前記各法面保護用受圧板の周りの法面上を前記植物栽培基盤材で覆う法面施工方法。
【請求項８】
前記定着工程の前に、法面に網状体を貼る請求項６又は７記載の法面施工方法。
【請求項９】
前記培床部材が土嚢、通気性軽量コンクリート、保水材の少なくとも一種であって、前記定着工程を行う前に、前記凹部に収容される前記培床部材を固定部材を用いて前記法面保護用受圧板に固定する固定工程を行う請求項７又は８記載の法面施工方法。
【発明の詳細な説明】
【０００１】
【発明の属する技術分野】
本発明は、法面植生構造及びその法面施工方法に関する。
【０００２】
【従来の技術】
近年、この種の技術では、法面に、鉄筋やコンクリート打設により井ゲタ状の法枠を設けて、その法枠の周辺の法面上に土嚢を配設したり、植物栽培基盤材を吹き付けたりすることで、地山の緑化を図ることが検討されている。
【０００３】
【発明が解決しようとする課題】
しかし、このような従来技術では、確かに地山の緑化を図れるものの、単に法枠を設けて緑化を図るものであることから、地すべりや法面崩壊などを防止し法面の安定化を図るという点からは万全ではなく、問題がある。
【０００４】
本発明は、上記実情に鑑みてなされたものであって、その目的は、法面の安定化及びその緑化を図ることができるようにするところにある。
【０００５】
【課題を解決するための手段】
請求項１記載の発明の特徴構成は、法面に載置自在な載置底板部を備えると共に植物栽培基盤材を充填可能な上方に開口を有する凹部を形成してある法面保護用受圧板を、地中に係止したアンカー部材を用いて法面に、多数定着させるとともに、
前記各法面保護用受圧板の前記凹部に前記植物栽培基盤材を充填し、前記各法面保護用受圧板の周りの法面上を、前記植物栽培基盤材で覆ってあるところにある。
【０００６】
〔作用及び効果〕
法面に載置自在な載置底板部を備える法面保護用受圧板を、地中に係止したアンカー部材を用いて法面に多数定着させてあるので、地すべりや法面崩壊などを防止でき、しかも、その各法面保護用受圧板が備える凹部に植物栽培基盤材を充填し、その各法面保護用受圧板の周りの法面上を、前記植物栽培基盤材で覆ってあるので、地山の緑化を図ることができる。
従って、法面の安定化及びその緑化を図ることができる。
【０００７】
請求項２記載の発明の特徴構成は、上記請求項１記載の特徴構成に加えて、前記載置底板部に複数の補強リブが立設され、それら複数の補強リブ及び載置底板部にて前記凹部が形成されているところにある。
【０００８】
〔作用及び効果〕
複数の補強リブにより補強される載置底板部によって確実に法面の安定化を図りながら、その複数の補強リブ及び載置底板部にて形成される空間を植物栽培基盤材を充填可能な凹部として利用でき、好適である。
【０００９】
請求項３記載の発明の特徴構成は、上記請求項１又は２記載の特徴構成に加えて、前記法面保護用受圧板の外周および上端の少なくとも一方が露出されているところにある。
【００１０】
〔作用及び効果〕
法面保護用受圧板の外周および上端の少なくとも一方を露出させることで、凹部に充填させる植物栽培基盤材および法面の上を覆う植物栽培基盤材の量を削減でき、経済的である。
【００１１】
請求項４記載の発明の特徴構成は、上記請求項１〜３の何れかに記載の特徴構成に加えて、前記凹部では、前記植物栽培基盤材の下に、植物の根が進入成長可能に成形された培床部材が収容されているところにある。
【００１２】
〔作用及び効果〕
本特徴構成を備える法面植生構造によれば、その施工性及び経済性を向上させることができる。
つまり、法面保護用受圧板の凹部にて、植物栽培基盤材の下に収容されている培床部材は成形されたものであるから、その凹部へ単に吹き付けなどにより植物栽培基盤材を充填するのに比べると、凹部への充填作業が容易となる。
そして、このように植物栽培基盤材の下に培床部材が収容されているので、培床部材によって、見かけ上凹部の底面が上げ底されたようになり、凹部に収容する植物栽培基盤材の量を削減することができるようにもなる。しかも、培床部材は植物の根が進入成長可能なものであるから、植物栽培基盤材だけでなくこの培床部材を用いて植物を栽培することもできる。よって、植物栽培基盤材の使用量を削減して、経済性をより向上させながら、好適に緑化を図ることができる。
【００１３】
請求項５記載の発明の特徴構成は、上記請求項４記載の特徴構成に加えて、前記培床部材が、土嚢、通気性軽量コンクリート、保水材の少なくとも一種であるところにある。
【００１４】
〔作用及び効果〕
例えば土嚢は、その内外を植物の根が通過可能な袋体（例えば各種繊維からなるもの等）の中に、土等の植物を栽培可能な各種植物栽培床材をいれてあるものであればよく、また、通気性軽量コンクリートは、成型された塊を凹部に入れるだけで良いので、簡易かつ経済的である。また、保水材は、乾燥しやすい環境の法面に、特に有効である。
【００１５】
請求項６記載の発明の特徴手段は、請求項４又は５記載の法面植生構造を施工する法面施工方法であって、
前記法面保護用受圧板を、前記アンカー部材を用いて法面に定着する定着工程を行った後、
前記凹部に前記培床部材を収容する収容工程を行って、
前記各法面保護用受圧板の前記凹部に前記植物栽培基盤材を充填し、前記各法面保護用受圧板の周りの法面上を、前記植物栽培基盤材で覆うところにある。
【００１６】
〔作用及び効果〕
定着工程を行い、法面保護用受圧板を法面に設置してから、収容工程により、凹部に前記培床部材を収容するので、法面保護用受圧板の設置状況や現場の状況に応じて凹部に培床部材を収容することができ、好適である。そして、各法面保護用受圧板の凹部に植物栽培基盤材を充填し、各法面保護用受圧板の周りの法面上を、植物栽培基盤材で覆うことで、請求項４又は５記載の作用効果を得ることができるようになる。
【００１７】
請求項７記載の発明の特徴手段は、請求項４又は５記載の法面植生構造を施工する法面施工方法であって、
前記凹部に前記培床部材を収容する収容工程を行った後、
前記法面保護用受圧板を、前記アンカー部材を用いて法面に定着する定着工程を行って、
前記各法面保護用受圧板の前記凹部に前記植物栽培基盤材を充填し、前記各法面保護用受圧板の周りの法面上を、前記植物栽培基盤材で覆うところにある。
【００１８】
〔作用及び効果〕
収容工程を行ってから定着工程を行うので、平場又は工場にて、凹部に培床部材を収容すればよく、施工性を向上させることが可能となり、好適である。そして、各法面保護用受圧板の凹部に植物栽培基盤材を充填し、各法面保護用受圧板の周りの法面上を、植物栽培基盤材で覆うことで、請求項４又は５記載の作用効果を得ることができるようになる。
【００１９】
請求項８記載の発明の特徴手段は、前記定着工程の前に、法面に網状体を貼るところにある。
【００２０】
〔作用及び効果〕
本特徴手段によれば、法面全面緑化を行う場合に、各種植物栽培床材の定着性が向上して、緑化効率が上がる。
【００２１】
請求項９記載の発明の特徴手段は、上記請求項７又は８記載の特徴手段に加えて、前記培床部材が土嚢であって、前記定着工程を行う前に、前記凹部に収容される前記土嚢を固定部材を用いて前記法面保護用受圧板に固定する固定工程を行うところにある。
【００２２】
〔作用及び効果〕
本特徴手段によれば、定着工程にて土嚢が移動したり凹部から落下したりするおそれを低減して、一層施工性を向上させることができ、殊に法面の斜面勾配が急なときでも土嚢を凹部に予め容易に収容させておくことができ、好適である。
【００２３】
【発明の実施の形態】
以下に本発明の実施の形態を図面に基づいて説明する。本発明に係る法面植生構造の概略平面図を図１に、断面図を図２に、法面保護用受圧板の一例の斜視図を図３に、法面植生構造の施工過程の一例の説明図を図４，５に示す。
【００２４】
図１，２に示すように、地中Ｂに係止したアンカー部材８を用いて法面保護用受圧板（以下単に受圧板と略称する）Ａを、法面Ｆに定着して地すべりや法面崩壊を防止するとともに、各受圧板Ａ及び各受圧板Ａの周りの法面上を、植物栽培基盤材Ｃで覆ってあり、受圧板Ａを利用しながら法面全体に植物を生育可能に構成し、地山Ｂの緑化を図ることができるようにしてある。
【００２５】
前記受圧板Ａは、地山Ｂに係止するアンカー部材８に対する係止連結部を備えると共に、法面Ｆに載置自在な載置底板部を設け、前記植物栽培基盤材Ｃを収容可能な上方に開口を有する凹部を設けてあるものであれば、如何なるものでもよいが、一例として、本実施形態では、図３の斜視図に示すような受圧板Ａを法面Ｆに定着してある。
図３に例示する受圧板Ａは、金属材料の一種であるダクタイル鋳鉄製のもので、すべての部材を一体に鋳造してあり、全体形状が平面視でほぼ菱形の４つの頂部が外方に向けて突出する形状に構成してあり、ほぼ十字状の突出梁部１と、その突出梁部１の十字状部分の隣り合うもの間にわたる板状の鍔状板部２とからなる。
【００２６】
前記突出梁部１は、図１〜３に示すように、四方に突出する十字状に形成され、そのほぼ中央に、地中Ｂに係止するアンカー部材８の挿通用として形成されたアンカー挿通部５と、アンカー部材８を係止するために前記アンカー挿通部５に形成された係止連結部６とを備えると共に、載置底板部３に補強リブ７を立設して構成してある。尚、前記係止連結部６は、突出梁部１の載置底板部３のほぼ中央の位置に設けられる前記アンカー挿通部５に、地中Ｂに係止するアンカー部材８を係止するように構成してある。
【００２７】
また、載置底板部３には、係止連結部６を囲堯するように前記補強リブ７として囲み補強リブ７Ｄが立設されるとともに、その囲み補強リブ７Ｄと係止連結部６に接続される十字状の補強板部１１が、設けてある。さらに、補強リブ７として、十字状の突出梁部１における載置底板部３の周縁部に沿う周縁補強リブ７Ａと、突出梁部１の十字状部分の幅方向中央位置にその十字状部分の長手方向に沿う縦貫補強リブ７Ｂと、突出梁部１の十字状部分の長手方向に対してほぼ直交する方向に沿う横方向リブ７Ｃとを、載置底板部３に一体に立設してある。
【００２８】
そして、各補強リブ７（周縁補強リブ７Ａ・縦貫補強リブ７Ｂ・横方向補強リブ７Ｃ・囲み補強リブ７Ｄ）及び載置底板部３にて囲まれ、上方に開口を有する空間が、植物栽培基板材Ｃを収容可能な凹部Ｓに相当する。
【００２９】
一方、前記鍔状板部２は、突出梁部１の十字状部分の隣り合うもの間を結び、しかも、その鍔状板部２の下面が、載置底板部３の下面と同一平面状となるように連接してあるほぼ板状のものである。
【００３０】
因みに、図３に例示するように、突出梁部１において、載置底板部３や、載置底板部３・周縁補強リブ７Ａ・縦貫補強リブ７Ｂ・横方向補強リブ７Ｃ・囲み補強リブ７Ｄで形成される隅部に、載置底板部３の表裏にかけて貫通する第一貫通孔３１や、第二貫通孔３２を設けておけば、前記第一貫通孔３１や第二貫通孔３２を介して、載置底板部３に溜まろうとする水分を確実に地山に排出し、水分が過剰になることなく適当に維持されて、これら植栽を適切な条件で育成させることができ、また、受圧板そのものが水分により腐食されるおそれも低減することができる。さらに、図３に例示するように、鍔状板部２にも、その表裏にかけて貫通する第三貫通孔３３を設けておけば、鍔状板部２の上に載置される植物栽培基盤材Ｃがその第三貫通孔３３により定着されて移動などし難くなると共に、第三貫通孔３３が上述の様な給排水用の孔として作用し、草木を十分に成長させて植栽することができ、有利である。
【００３１】
そして、前記凹部Ｓには、図２に示すように、植物の根が進入成長可能に成形された培床部材２０の上に、前記植物栽培基盤材Ｃが積層されることで、凹部Ｓでは、受圧板Ａの上を覆う植物栽培基盤材Ｃの下に、前記培床部材２０が収容されている。
【００３２】
前記培床部材２０は、植物の根が進入成長可能に成形されたものであれば如何なるものでもよく、例えば、通気性軽量コンクリートや保水材でもよく、図２，４，５には、培床部材２０として土嚢Ｄを収容してある構成を例示してある。尚、この土嚢Ｄとは、図示しないが、その内外を植物の根が通過可能な袋体（例えば各種繊維からなるもの等、特に天然繊維製の方が生分解により、収容した土等と一体になり易く好適である）の中に、土等の植物を栽培可能な各種植物栽培床材をいれてあるものであれば、如何なるものでもよい。
また、前記植物栽培基盤材Ｃは、前記培床部材２０と同様に、植物を栽培可能な植物栽培床材となるものであれば如何なるものでもよく、具体的な例については後述する。
【００３３】
次に、上述のように構成される法面植生構造の法面施工方法の一例について、図４，５を参照しながら説明する。
【００３４】
（１）まず、図４（イ）に示すように、受圧板Ａを、アンカー部材８を用いて法面Ｆに定着する定着工程を実施する。
具体的には、地山Ｂに掘削したアンカー穴にアンカー部材８を挿入して、アンカー穴にグラウト材１８を注入し、アンカー部材８を地中に固定しておき、そして、受圧板Ａを揚重機械で吊り上げ、吊り上げた受圧板Ａのアンカー挿通部５にアンカー部材８の地上露出部を貫通させた状態で、受圧板Ａを法面Ｆ上に設置して、アンカー部材８の地上露出部に締結部として螺設した雄ねじ部８Ａにアンカー緊張固定部材としてのナット９を螺合締結し、係止連結部６の受け座４を介してアンカー部材８を緊張し、固定する。尚、本実施形態では、受圧板Ａの載置底板部３の下面が法面Ｆに直接接地されるように受圧板Ａを設置させてあるが、前記設置底板部３の下面と法面Ｆとの間に、介在部材を介して、受圧板Ａを法面Ｆに設置するようにしてあってもよいし、また、一例として、囲み補強リブ７Ｄの上に蓋部材１０を覆設してあるが、本発明はこのような構成に限定されるものではなく、蓋部材１０を設けなくてもよい。そして、アンカー部材８は、ロッドやワイヤー等から任意に構成すればよく、また、受圧板Ａを法面Ｆに据え付けて、その受圧板Ａに設けられる係止連結部６を介して、アンカー部材８を緊張し固定するにあたっては、上述のように、雄ネジ部８Ａとナット９による螺合締結によるものに限らず、図示しないが、例えば、アンカー部材８をロックボルト等により係止連結部６に係止するなどその他任意の方法を用いても勿論よい。
【００３５】
（２）次に、図４（ロ）に示すように、受圧板Ａの凹部Ｓ内に、培床部材２０としての土嚢Ｄを収容する収容工程を行う。
【００３６】
（３）そして、図５に示すように、各受圧板Ａの凹部Ｓに植物栽培基盤材Ｃを充填し、各受圧板Ａの周りの法面Ｆ上を植物栽培基盤材Ｃで覆う基盤材吹き付け工程を行う。ここでは一例として、各受圧板Ａ及び各受圧板Ａの周りの法面Ｆ上を、植物栽培基盤材Ｃで覆ってある。
この基盤材吹き付け工程は、具体的には、例えば、次のような工法ａ〜ｃの中から、法面の土質や勾配などに応じたものを選択して実施すればよい。
工法ａ：植物栽培基盤材Ｃとして、木質繊維等に、粘着剤・被膜剤・植物の種子・肥料等を添加してあるスラリー状の植物栽培床材を、各受圧板Ａ及び各受圧板Ａの周りの法面Ｆ上に吹き付ける吹付工法。
工法ｂ：植物栽培基盤材Ｃとして、土（例えば黒ボク等）の各種土壌に、粘着剤・被膜剤・合成樹脂・繊維・植物の種子・肥料等を添加してある植物栽培床材を、各受圧板Ａ及び各受圧板Ａの周りの法面Ｆ上に吹き付ける吹付工法。
工法ｃ：植物栽培基盤材Ｃとして、人工土壌又は有機基材（例えば、土、木質繊維、バーク堆肥、ピートモス等）等に、高分子系樹脂・セメント・繊維・植物の種子・肥料等を添加してある植物栽培床材を、各受圧板Ａ及び各受圧板Ａの周りの法面Ｆ上に吹き付ける吹付工法。
尚、工法ａ，ｂ，ｃいずれのときについても、受圧板Ａや法面Ｆに吹き付けられる各種植物栽培床材の定着性を向上させるために、網状体として、繊維網・金網・むしろ等の補助材料を用いてもよい。尚、この補助材料は、例えば、受圧板を法面に設置する前に法面上に貼ればよい。
【００３７】
以上、（１），（２），（３）の各工程を順次行うことで施工が完了し、図１，２に示すような、法面植生構造を得ることができる。
【００３８】
このように本発明に係る法面植生構造では、凹部Ｓでは、受圧板Ａの上を覆う植物栽培基盤材Ｃの下に、植物の根が進入成長可能に成形された培床部材２０が収容されているので、その施工性及び経済性を向上させることができる。なお、前述のように培床部材２０は成形されたものであるので、凹部Ｓに収容されると、凹部Ｓと培床部材２０との間や培床部材２０どうし間に隙間が形成されることもあるが、培床部材２０の上は植物栽培基盤材Ｃにて覆われているので、そられ隙間にも植物栽培基盤材Ｃが適切に充填され、凹部Ｓを利用しながら植物を良好に生育して、地山の緑化を向上することができる。
【００３９】
〔別実施形態〕
以下に他の実施形態を説明する。
〈１〉　先の実施形態では、法面植生構造を施工するにあたり、前記定着工程を行ってから、前記収容工程を行う例を示したが、図６に例示するように、現場の平場又は工場にて、予め、凹部Ｓに培床部材２０としての土嚢Ｄを収容する収容工程を行っておき、その後、先の実施形態と同様にして、その培床部材２０が凹部Ｓに収容されている受圧板Ａを法面Ｆに定着する定着工程を行って、その後、図５に例示するように前記覆設工程を行うようにしてもよい。すると、法面にて受圧板Ａに対して凹部Ｓに土嚢Ｄ等の培床部材２０を収容するときに比べて、一層施工性を向上させることができ、殊に法面の斜面勾配が急なときでも土嚢Ｄ等の培床部材２０を凹部Ｓに容易に収容でき好適である。
因みに、このような場合には、定着工程を行う前に、図７（イ），（ロ）に例示するように、土嚢Ｄを固定部材２５で受圧板Ａに固定する固定工程を行っておけば、定着工程にて、土嚢Ｄが移動したり凹部Ｓから落下したりするおそれを低減できより好ましい。図７（イ）は受圧板Ａの要部を示す斜視図で、図７（ロ）はその断面図であり、周縁補強リブ７Ａに対して、その十字状部分において、その長手方向に交差する方向に沿って、土嚢Ｄを介して貫通する貫通アンカー（固定部材の一例）２５を打ち込んで、土嚢Ｄを受圧板Ａに固定してある。
【００４０】
〈２〉　先の実施形態では、一例として、各受圧板Ａ及び各受圧板Ａの周りの法面Ｆ上を、植物栽培基盤材Ｃで覆ってあるものについて説明したが、各受圧板Ａの凹部Ｓに植物栽培基盤材Ｃを充填し、各受圧板Ａの周りの法面Ｆ上を植物栽培基盤材Ｃで覆ってあれば如何なる構成でもよい。例えば、受圧板Ａの外周および上端の少なくとも一方が露出されていてもよく、例えば図８の断面説明図に示すように、受圧板Ａの上端（補強リブ７の上端）が露出する程度に凹部Ｓに植物栽培基盤材Ｃを充填し、受圧板Ａの外周（周辺補強リブ７Ａの外周）が露出する程度に法面Ｆ上を植物栽培基盤材Ｃで覆ってあってもよい。図８では、一例として、凹部Ｓ内に単に植物栽培基盤材Ｃを充填してあるものを例示したにすぎず、図示しないが、その植物栽培基盤材Ｃの下に前記培床部材２０が収容されていてもよい。
【００４１】
〈３〉　また先の実施形態では、培床部材２０として土嚢Ｄを用いる例を示したが、培床部材２０は、植物の根が進入成長可能に成形されたものであれば如何なるものでもよい。例えば、図９に例示するように、凹部Ｓ内に通気性軽量コンクリート３５を打設することで培床部材２０としてもよい。また、図示しないが、培床部材は、例えば、工場や現場にて受圧板の凹部内に、土壌や繊維等からなり高い粘着性を有するスラリー状の植物栽培床材を充填することにより受圧板自体を利用して成形すると共に収容してなるものでもよいし、また、培床部材として、各種合成樹脂そのもの或いは各種バインダーを用いて土や繊維等から人工的に所定形状に成形し、植物の根が進入成長可能に構成してあるものを用いるようにしてもよい。
【００４２】
〈４〉　図１０に例示するように、植物栽培基盤材Ｃを受圧板Ａに固定可能な抜出防止部材４０を設けてあれば、植物栽培基盤材Ｃが乾燥などして収縮し、しめかためられた状態となったときでも、植物栽培基盤材Ｃが凹部Ｓより抜け出すのを防止できる。図１０（イ）では、先述のようにして固定部材２５で受圧板Ａに固定される培床部材２０に係止するように、前記抜出防止部材としてのＴ字型のアンカー部材４０を植物栽培基盤材Ｃ内に打ち込んであり、また、図１０（ロ）では、地山Ｂに係止するように、前記抜出防止部材としてのＴ字型のアンカー部材４０を植物栽培基盤材Ｃ内に打ち込んである。
【００４３】
〈５〉　また、図１１に例示するように、植物栽培基盤材Ｃの下方に保水材４６を収容してあれば、その保水材４６の保水効果により、植物栽培基盤材Ｃの乾燥が防止されるようになり、好適である。尚、図示しないが、植物栽培基盤材の下に収容される培床部材の下に保水材を収容してあってもよいし、または、培床部材中に保水材を混入してあってもよいし、または、植物栽培基盤材中に保水材を混入してあってもよく、いずれのときも、植物栽培基盤材の乾燥防止効果を期待できる。
【００４４】
〈６〉　そして、先の実施形態では、植物栽培基盤材が植物の種を備えさせてある例を説明したが、植物栽培基盤材は植物の種を備えないものでも勿論よく、例えば、植物の種を別途植物栽培基盤材上に散布したり、培床部材に植物の種を備えさせたり、又は、植物栽培基盤材や培床部材に植物の苗や植物を植え付けたりすればよい。
【００４５】
〈７〉　尚、先の実施形態で説明した法面保護用受圧板は一例であり、各種変形が可能である。法面保護用受圧板は載置底板部を備えると共に植物栽培基盤材を充填可能な上方に開口する凹部を形成してあるものであれば如何なる形状のものでもよく、平面視で、十字状又は正方形や菱形等各種多角形状でもよい（例えば、図１２，１３参照）。
そして、図１２の平面図に例示するように、前記鍔状板部２を、各突出梁部１の頂部を結ぶものに形成し、平面視で菱形となるように法面保護用受圧板Ａを構成し、その鍔状板部２に多数の第三貫通孔３３を設けてあれば、その多数の第三貫通孔３３によって、鍔状板部２の上に載置される植物栽培基盤材Ｃが一層鍔状板部２に定着されるようになり、好適である。
また、凹部は、先の実施形態で説明した箱状のものに限らず、上方に開口を有するものであれば如何なるものでもよい。例えば、図１３に例示するように、平面視で、法面保護用受圧板Ａを多角形状に形成するとともに、補強リブ７として平面視で放射状の放射状補強リブ７Ｆ多数を載置底板部３に立設し、その補強リブ７と載置底板部３にて側方にも開口を有する凹部Ｓを形成してあってもよい。尚、図１３に例示するように、載置底板部３に表裏に貫通する第四貫通孔３４を設けてあると、第三貫通孔３３と同様の効果を期待できるが、第四貫通孔３４は設けても設けなくてもどちらでもよい。
また、法面保護用受圧板は、ダクタイル鋳鉄製に限らずその他の金属製のものでもよいし、ポリカーボネート、ナイロン、ＦＲＰ、ＢＭＣ等の高強度の樹脂材料（繊維強化樹脂も含む）製のものでもよい。そして、法面保護用受圧板は、これまでの実施形態で説明したような補強リブを載置底板部に立設してあるものに限らず、パイプ等の金属材を樹脂材で被覆した複合材料で構成してもよく、また、一体型に形成してあるものに限らず、複数の分割体を組み合わせて形成するものでもよい。
尚、凹部に充填される植物栽培基盤材の下に培床部材を収容するときには、法面に、多数定着される各法面保護用受圧板のうち少なくとも一つの法面保護用受圧板の凹部にて、その凹部に充填される植物栽培基盤材の下に培床部材が収容されていればよく、また、法面保護用受圧板に凹部が二箇所以上あるときには、少なくとも一つの凹部に培床部材が収容されていればよい。
【００４６】
〈８〉　また、本明細書において、「法面保護用受圧板を地中に係止したアンカー部材を用いて法面に定着する」とは、法面保護用受圧板を法面に据え付けて、その法面保護用受圧板に設けられる係止連結部を介して、アンカー部材を緊張し、固定することをいう。
【図面の簡単な説明】
【図１】本発明に係る法面植生構造の一例を示す概略平面図
【図２】本発明に係る法面植生構造の一例を示す断面図
【図３】法面保護用受圧板の一例を示す斜視図
【図４】本発明に係る法面植生構造の一施工状況を示す説明図（イ）定着工程の一施工状況を示す説明図，（ロ）収容工程の一施工状況を示す説明図
【図５】本発明に係る法面植生構造の一施工状況（基盤材吹き付け工程）を示す説明図
【図６】本発明に係る法面植生構造の施工状況の別例（収容工程）を示す説明図
【図７】本発明に係る法面植生構造の施工状況の別例を示す説明図（イ）斜視図，（ロ）断面図
【図８】本発明に係る法面植生構造の別例を示す説明図
【図９】本発明に係る法面植生構造の別例を示す説明図
【図１０】本発明に係る法面植生構造の別例を示す説明図
【図１１】本発明に係る法面植生構造の別例を示す説明図
【図１２】法面保護用受圧板の別例を示す平面図
【図１３】法面保護用受圧板の別例を示す斜視図
【符号の説明】
Ａ　　法面保護用受圧板
Ｃ　　植物栽培基盤材
Ｄ　　土嚢
Ｆ　　法面
３　　載置底板部
７　　補強リブ
８　　アンカー部材
Ｓ　　凹部
２０　培床部材
２５　固定部材
【図１】
2004003257.tif 000003
【図２】
2004003257.tif 000004
【図３】
2004003257.tif 000005
【図４】
2004003257.tif 000006
【図５】
2004003257.tif 000007
【図６】
2004003257.tif 000008
【図７】
2004003257.tif 000009
【図８】
2004003257.tif 000010
【図９】
2004003257.tif 000011
【図１０】
2004003257.tif 000012
【図１１】
2004003257.tif 000013
【図１２】
2004003257.tif 000014
【図１３】
2004003257.tif 000015
【手続補正書】
【提出日】平成14年9月3日(2002.9.3)
【手続補正１】
【補正対象書類名】明細書
【補正対象項目名】００２１
【補正方法】変更
【補正の内容】
【００２１】
請求項９記載の発明の特徴手段は、上記請求項７又は８記載の特徴手段に加えて、前記培床部材が土嚢、通気性軽量コンクリート、保水材の少なくとも一種であって、前記定着工程を行う前に、前記凹部に収容される前記培床部材を固定部材を用いて前記法面保護用受圧板に固定する固定工程を行うところにある。


【手続補正２】
【補正対象書類名】明細書
【補正対象項目名】００２２
【補正方法】変更
【補正の内容】
【００２２】
本特徴手段によれば、定着工程にて培床部材が移動したり凹部から落下したりするおそれを低減して、一層施工性を向上させることができ、殊に法面の斜面勾配が急なときでも培床部材を凹部に予め容易に収容させておくことができ、好適である。